(57)【特許請求の範囲】
【請求項１】
真空保管ケース（２）の所定の位置に密着固定される円板状の固定板（１１）、及び内部に設けられた空気通路（１２）を有する本体（１０）と、前記本体の上部に固設されるカバー（２０）と、前記本体と前記カバー間の空間部（３０）に挿入され、真空掃除機などの吸込力によってカバー（２０）に案内されて上昇しパッキングから離れることにより、前記空気通路（１２）を開放し、前記吸引力が解除されると、前記カバーに案内されて下降し、前記パッキングに密着することにより、前記空気通路（１２）を遮断するレバー（４０）と、を含んでなるものにおいて、
前記本体（１０）の前記空気通路（１２）の上部外側にパッキング挿入溝（１５）が形成され、この挿入溝（１５）には前記パッキング（５０）が挿入され、前記パッキングの上端をカバー（２０）の内側支持突起（２３）が加圧支持するように前記本体（１０）と前記カバー（２０）が組み立てられ、
前記パッキング（５０）は、内部の内側面（５１）と上面（５２）に前記レバー（４０）の挿入突起（４２）及び段差のある密着面（４５）が水平、垂直方向から密着し、気密を保持するように構成されたことを特徴とする、布団圧縮保管ケースの空気排出弁。
【請求項２】
前記パッキング（５０）の上面（５２）には気密突起（５３）が突設され、前記レバー（４０）の密着面（４５）には前記気密突起（５３）が挿入される気密溝（４６）が設けられ、前記気密溝（４６）が前記気密突起（５３）を加圧しながら多段で密着して気密を保持するように構成されたことを特徴とする、請求項１に記載の布団圧縮保管ケースの空気排出弁。
【請求項３】
真空保管ケース（２）の所定の位置に密着固定される円板状の固定板（１１）、及び内部に設けられた空気通路（１２）を有する本体（１０）と、前記本体の上部に固設されるカバー（２０）と、前記本体と前記カバー間の空間部（３０）に挿入され、真空掃除機などの吸込力によってカバー（２０）に案内されて上昇しパッキングから離れることにより、前記空気通路（１２）を開放し、前記吸引力が解除されると、前記カバーに案内されて下降し前記パッキングに密着することにより、前記空気通路（１２）を遮断するレバー（４０）と、を含んでなるものにおいて、
前記本体（１０）の前記空気通路（１２）の上部外側にパッキング挿入溝（１５）が形成され、この挿入溝（１５）には前記パッキング（５０）が挿入され、前記パッキングの上端を前記カバー（２０）の内側支持突起（２３’）が前記本体（１０）との間で加圧支持するように前記本体（１０）と前記カバー（２０）が組み立てられ、
前記パッキング（５０）は、内部の内側面（５１）と上面（５２）に前記レバー（４０）の挿入突起（４２）及び段差のある密着面（４５）が水平、垂直方向から密着し、気密を保持するように構成されたことを特徴とする、布団圧縮保管ケースの空気排出弁。
【発明の詳細な説明】
【技術分野】
【０００１】
本発明は、布団圧縮保管ケースの空気排出弁に係り、より詳しくは、布団を入れる圧縮保管ケースの内部空気を抜き出してその体積を減らすと共に、空気が流入しないように遮断させて湿気及びカビ菌などから保護するための、布団圧縮保管ケースの空気排出弁に関する。
【背景技術】
【０００２】
一般に、布団は、保温材として綿、羊毛、鵞鳥毛、化学綿、合成繊維などの材料を内部に充填して製造される寝具類である。
【０００３】
このような布団は、体積が大きくて運搬、保管が不便であるうえ、高温多湿な時期には湿気が入り込みカビ菌などが浸入して繊維素が損傷し、悪臭がするなどの問題点により、その保管管理が非常に難しかった。
【０００４】
かかる従来の問題点を解決するために、布団を真空状態にして圧縮保管することが可能な圧縮保管ケースが多数提示された。
【０００５】
この種の圧縮保管ケースは、プラスチックシートからなる保管ケースに布団を入れることができるように開閉可能な入口部と、空気の排出のための空気排出口とを備え、内部に布団や衣類などを挿入した後、入口部を閉じて前記空気排出口に真空掃除機などを連結し、保管ケース内の空気を真空吸込して内部空気を外部へ排出させることにより、保管ケース内の布団や衣類などを圧縮して体積を減少させるのは勿論のこと、湿気やカビ菌などから保護する。
【０００６】
特に、前記圧縮保管ケースの空気排出口は、特許文献１でのように、円板状の固定板、前記固定板の内部に段部によって形成された凹部、及び前記凹部上に放射状に設けられた空気流通路を有する本体と、内部に挿入孔が設けられた弁板を一体に形成した弁体と、円筒状の柱体であって、前記弁体に組み立てられると同時に本体上に組み立てられる嵌合ケーシングとを含んでなる。
【０００７】
このような空気排出口は、真空掃除機などの吸込口を嵌合ケーシングに密着挿入して動作させると、前記掃除機の吸込力によって空気流通路を遮断していた弁板が上方に曲げられるように開放されながら保管ケース内の空気が外部へ排出される。
【０００８】
こうして保管ケース内の空気を外部へ排出した後、前記掃除機を分離すると、前記弁板が自体の弾性力によって原位置に戻りながら空気流通路を再び遮断すると共に、外部との圧力差によって前記弁板は空気流通路を遮断した状態を保つ。
【０００９】
ところが、前述した従来の空気排出口は、真空掃除機などの吸込力による弁板の撓み性のみで開放作動するため、空気流通路の開放程度が微々たるものであり、真空掃除機などを分離した後にも、弁板の弾性力が弱くて迅速な空気流通路の遮断が提供できないという問題点などがあった。
【００１０】
かかる問題点を改善するために、特許文献２では、図６に示すように、真空保管ケース２上に固定される円板状の固定板３’、及び中心に段差をもって設けられる円柱状の空気通路４を有する胴体３と、前記胴体の空気通路に挿入され、上下にスライドされながら空気の流れを制御するための突起部６を有する弁５と、前記弁の上下離脱を抑制するための支持板７とを含んでなる空気排出弁を提示した。
【００１１】
ここで、前記弁５の突起部６の外周縁には気密性を持たせるためのＯリング８を備え、空気通路４の内壁面に密着しながら気密を保持するようにした。
【００１２】
このような空気排出弁は、前記真空掃除機などの吸込力によって弁５が上昇し、その突起部６が空気通路４に沿って上昇して空気通路を開放することにより、弁５上の孔５’と空気通路４を介して保管ケース内の空気を吸い込み排出する。
【００１３】
こうして保管ケース内の空気を吸い込み排出した後、前記掃除機を分離すると、大気圧と保管ケース内の圧力差によって弁５が下方に原位置してその突起部６が空気通路４を再び遮断し、且つ、弁が支持板７内に挿入されて弁５上の孔５’を遮断することにより、気密を保持する。
【００１４】
ところが、前述した従来の空気排出弁は、前記弁５の突起部６が円柱状の空気通路４の内壁面を沿って上下にスライド作動しながら突起部６上のＯリング８と空気通路４との単純密着、特に一部位におけるＯリング密着構造によって気密を保持するため、その気密保持の効率が低下するという構造上の脆弱な問題点があった。
【００１５】
【特許文献１】韓国登録実用新案第３１１９５１号明細書
【特許文献２】韓国特許登録第５２２２９３号明細書
【発明の開示】
【発明が解決しようとする課題】
【００１６】
そこで、本発明は、上述した従来の技術の諸般問題点を解決するために創案されたもので、その目的とするところは、レバーとパッキングとの複数個所での密着による優れた気密性を提供することにより空気の流出を遮断し、使用上の信頼度を極大化することにある。
【課題を解決するための手段】
【００１７】
上記目的は、真空保管ケースに密着固定され、内部に空気通路を有する本体と、前記本体の上部に固設されるカバーと、前記本体と前記カバーとの間に挿入されて上昇しながら、パッキングによって空気通路を開放または遮断するレバーとを含んでなるが、前記本体にはパッキング挿入溝が形成され、この挿入溝にはパッキングが挿入され、前記パッキングの上端をカバーが加圧支持するように前記本体と前記カバーが組み立てられ、前記パッキングは、内部の内側面と上面にレバーの挿入突起及び段差のある密着面が水平、垂直方向から密着し、気密を保持するように構成されたことを特徴とする、布団圧縮保管ケースの空気排出弁によって達成される。
【発明の効果】
【００１８】
上述したように、本発明の布団圧縮保管ケースの空気排出弁は、レバーの挿入突起及び段差のある密着面がパッキングの内側面と上面に水平及び垂直方向から複数箇所で密着する気密構造を提供することにより、空気通路の開放／遮断効率を極大化して使用上の信頼度を極大化するという効果を持つ。
【発明を実施するための最良の形態】
【００１９】
以下に添付図面を参照しながら、本発明の好適な実施の形態について詳細に説明する。
【００２０】
すなわち、本発明は、図１〜図４に示すように、真空保管ケース２の所定の位置に密着固定される円板状の固定板１１、及び内部に設けられた空気通路１２を有する本体１０と、前記本体の上部に固設されるカバー２０と、前記本体と前記カバー間の空間部３０に挿入され、真空掃除機などの吸込力によってカバー２０に案内上昇しながらパッキングによって空気通路を開放または遮断するレバー４０とを含んでなるものにおいて、前記本体１０には空気通路１２の上部外側にパッキング挿入溝１５が形成され、この挿入溝１５にはパッキング５０が挿入され、前記パッキングの上端をカバー２０の内側支持突起２３が加圧支持するように前記本体と前記カバーが組み立てられ、前記パッキング５０は、内部の内側面５１と上面５２にレバー４０の挿入突起４２及び段差のある密着面４５が水平、垂直方向から密着し、気密を保持するように構成される。
【００２１】
この際、前記パッキング５０の上面５２には気密突起５３が突設され、前記レバー４０の密着面４５には前記気密突起５３が挿入される気密溝４６が設けられることにより、この気密溝４６が気密突起５３を加圧しながら多段で密着して気密を保持するように構成される。
【００２２】
また、前記カバー２０の上面には、放射状に真空掃除機などの吸込口などを密着するが、外部空気が流入できる隙間を形成するように空気流入溝２２が設けられる。
【００２３】
これにより、前記真空掃除機などの吸込み作動によって外部空気を共に吸い込むと、上部の圧力が低くなり、レバー４０の自然な上昇開放作動及び吸込口の自然な分離作動が可能となる。
また、前記レバー４０の挿入突起４２には下部から一定の高さに多数の通路溝４４が設けられ、前記カバー２０の中央突出部の外周上にも多数の通路孔２４が設けられることにより、空気の排出が可能になる。
未説明符号２５はレバー４０の昇降を案内する案内溝、１３は本体のリブ、１９はカバー２０上の嵌合突起２９が挿入されてカバーと本体を結合させるための本体１０上の嵌合溝をそれぞれ示す。
次に、上述したように構成された本発明の作動及び作用について考察する。
まず、布団圧縮保管ケース２上に備えられた入口部（図示せず）から、保管しようとする布団や衣類などを挿入した後、入口部を遮断することにより、保管ケースを密閉させる。
このような状態で、図４に示すように真空掃除機などの吸込口を空気排出弁のカバー２０の上部に密着させて作動させると、保管ケース２内の空気を吸い込み排出しながら圧縮する。
より具体的には、前記真空掃除機などの吸込口を、カバー２０の上面に放射状に備えられた空気流入溝２２に密着させた状態で作動させると、レバー４０を上部に吸い上げながら吸込み作動を行う。
この際、前記吸込口が、空気流入溝２２によって形成された隙間から外部空気を共に吸い込みながら上部の圧力を低くするので、レバー４０を上部に吸い上げる作動が自然に提供される。
上述したようにレバー４０が上部に吸い上げられる上昇作動と共に、前記レバー４０の挿入突起４２及び段差のある密着面４５がパッキング５０内の内側面５１と上面５２からずれてしまい、空気通路１２が開放される。
【００２４】
このように前記レバー４０が上昇開放されて空気通路１２が開放されると同時に、前記空気通路１２、レバー４０の挿入突起４２に設けられた通路溝４４、及びカバー２０の通路孔２４を介して保管ケース内の空気を吸い込み排出する。
【００２５】
こうして保管ケース２内の空気を全て排出して圧縮すると、真空掃除機などの吸込口をカバー２０の上部から分離する。
【００２６】
この際、前記吸込口は、空気流入溝２２によって外部空気を共に吸い込みながら上部の圧力を低くするので、カバー２０の上部から簡便に分離される。
【００２７】
こうして前記吸込口を分離してその吸込力を除去すると、外部との圧力差によってレバー４０が下降し、その挿入突起４２及び段差のある密着面４５がパッキング５０に水平、垂直方向から密着して気密を保持する。
【００２８】
すなわち、前記レバー４０の挿入突起４２がパッキング５０の内側面５１に密着し、段差のある密着面４５がパッキングの上面５２に密着することにより、効果的に気密を保持する。
【００２９】
さらに、前記パッキング５０の上面５２には気密突起５３が突設され、密着面４５には気密溝４６が設けられることにより、気密突起５３を気密溝４６が加圧しながら多段で密着するため、気密効率をさらに極大化する。
【００３０】
したがって、上述したようにレバー５０が空気通路１２を遮断すると、保管ケース２の内部に対する空気流入及び排出を防止することができる。
【００３１】
また、本発明の空気排出弁は、前記パッキング５０が本体１０上のパッキング挿入溝１５に挿入された状態で前記パッキングをカバー２０が加圧支持するように本体１０とカバー２０が組み立てられるため、使用中に前記パッキング５０が外されるおそれが防止され、長期間の使用を可能にする。
【００３２】
一方、本発明は、図５に示すように実施することもできる。これは、図１〜図３の実施例と比較して、前記本体１０には空気通路１２の上部外側のパッキング挿入溝１５が形成され、この挿入溝１５にパッキング５０が挿入され、パッキングの上端をカバー２０の内側支持突起２３ではなく、支持段差面２３’が本体１０との間で加圧支持するように、前記本体１０と前記カバー２０が組み立てられ、前記パッキング５０は、内部の内側面５１と上面５２にレバー４０の挿入突起４２及び段差のある密着面４５が水平、垂直方向から密着して気密を保持するように構成されたことを特徴とする。
【００３３】
このような実施例は、前述した実施例と比較するとき、前記カバー２０の支持突起２３を省略して単純な構造を有しながらも、前記カバーの支持段差面２３’と本体１０との間でパッキング５０の一側延長部分５５を加圧して支持するようにしたものである。
【００３４】
そして、前記パッキング５０の内側面５１と上面５２にレバー４０の挿入突起４２及び段差のある密着面４５が水平、垂直方向から密着して、前述した実施例と同様に効果的な気密保持を提供する。
【００３５】
その他の作動及び作用は、前述した実施例と同様に適用される。
【図面の簡単な説明】
【００３６】
【図１】本発明の一実施例を示す斜視図である。
【図２】図１の断面図である。
【図３】図１の分解断面図である。
【図４】図１の作動図である。
【図５】本発明の他の実施例を示す断面図である。
【図６】従来の空気排出弁を示す断面図である。
【符号の説明】
【００３７】
２    保管ケース
１０    本体
１２    空気通路
１５    パッキング挿入溝
２０    カバー
２３    支持突起
３０    空間部
４０    レバー
４２    挿入突起
４５    密着面
５０    パッキング
５１    内側面
５２    上面
【図１】
0004538011.tif 000002
【図２】
0004538011.tif 000003
【図３】
0004538011.tif 000004
【図４】
0004538011.tif 000005
【図５】
0004538011.tif 000006
【図６】
0004538011.tif 000007